(57)【要約】  【課題】  冷房運転室内機と暖房運転室内機が同時に運転される場合において冷房室内機に必要とされる冷房能力を確保する。  【解決手段】  液接続配管２２、低圧ガス接続配管２４、高圧ガス接続配管２６と、冷暖切換ユニット３０と、を備えたマルチ型空気調和機において、低圧ガス接続配管２４及び高圧ガス接続配管２６は冷暖切換ユニット３０へ接続され、液接続配管２２は室内機４０に接続され、複数台の室内機４０のうち少なくとも１台が冷暖切換ユニット３０により高圧ガス接続配管２６へ接続されて暖房運転され、他の複数台の室内機４０が冷暖切換ユニット３０により低圧ガス接続配管４へ接続されて冷房運転される場合、冷房運転される室内機４０は室内膨張弁４１の開度が増減されて能力が補償される。【選択図】  図１
2005300006.tif 000002
【特許請求の範囲】
【請求項１】
室内熱交換器と室内膨張弁を有する複数台の室内機と、圧縮機と室外熱交換器と室外膨張弁とを有する室外機と、該室外機から引出された液接続配管、低圧ガス接続配管、高圧ガス接続配管と、室外機と室内機の接続配管経路の途中に配置され、前記室内機のガス接続配管への接続を前記低圧ガス接続配管あるいは前記高圧ガス接続配管のいずれかに切換える冷暖切換ユニットと、を備えたマルチ型空気調和機において、
前記低圧ガス接続配管及び前記高圧ガス接続配管は前記冷暖切換ユニットへ接続され、前記液接続配管は前記室内機に接続され、
前記複数台の室内機のうち少なくとも１台が前記冷暖切換ユニットにより前記高圧ガス接続配管へ接続されて暖房運転され、他の複数台の前記室内機が前記冷暖切換ユニットにより前記低圧ガス接続配管へ接続されて冷房運転される場合、冷房運転される前記室内機は前記室内膨張弁の開度が増減されて能力が補償されることを特徴とするマルチ型空気調和機。
【請求項２】
請求項１に記載のものにおいて、冷房運転される前記室内機のうち暖房運転される前記室内機に隣接されて配置される前記室内膨張弁の開度は他の前記室内機のものより増加されて運転されることを特徴とするマルチ型空気調和機。
【請求項３】
請求項１に記載のものにおいて、冷房運転される前記室内機の能力が前記圧縮機の運転周波数によって制御されることを特徴とするマルチ型空気調和機。
【請求項４】
請求項１に記載のものにおいて、冷房運転される前記室内機の吸込空気温度と吹出空気温度との差に関連して前記室内膨張弁の開度を制御することを特徴とするマルチ型空気調和機。
【請求項５】
請求項１に記載のものにおいて、前記冷暖切換ユニットは前記低圧ガス接続配管への接続を開閉する低圧ガス管用電磁弁と、前記高圧ガス接続配管への接続を開閉する高圧ガス管用電磁弁と、を有することを特徴とするマルチ型空気調和機。
【発明の詳細な説明】
【技術分野】
【０００１】
本発明は、室内機が複数接続されるマルチ型空気調和機に関し、特に冷暖切換ユニットを用い冷暖同時運転を行うものに好適である。
【背景技術】
【０００２】
冷房運転室内機と暖房運転室内機が同時に運転されるマルチ型冷暖同時運転空気調和機には、室外機側より高圧ガス管、低圧ガス管、液管の３本の接続配管が引出されている。一方、室内機側にはガス管、液管の２本の接続配管があり、室内機側の３本と室外機側の２本の配管を接続するように冷暖切換ユニットが設置されている。
【０００３】
冷暖切換ユニットは、室内ガス管につなぐ配管を高圧ガス管か低圧ガス管のいずれかに切換えることにより、室内機の運転を暖房か冷房に切換える。例えば、室内ガス管に低圧ガス管を接続すると室内機は冷房運転を行い、室内ガス管に高圧ガス管を接続すると室内機は暖房運転を行う。つまり、室外機の運転モードと室内機の配管接続状態により、暖房運転室内機からの液冷媒は室内機の液管、液接続配管を介して冷房運転室内機に送られ冷房運転に使用される。
【０００４】
しかし、暖房運転室内機より流出する液冷媒は、暖房運転室内機の運転状態や吐出圧力等により冷却不足となり、フラッシュした状態で冷房運転室内機に送られる場合があり、冷房運転室内機が複数台ある場合、同―冷媒循環量となるように液冷媒を分配すると、フラッシュした液冷媒が多く流れる室内機では、冷房能力が不足する。
【０００５】
そこで、液接続配管から低圧ガス管へ接続するバイパス回路を設け、暖房運転室内機より流出する液冷媒を過冷却しフラッシュを防止することが知られ、例えば、特開平０３−０６３４６７号公報に記載されている。
【０００６】
【特許文献１】特開平０３−０６３４６７号公報
【発明の開示】
【発明が解決しようとする課題】
【０００７】
上記従来技術においては、室内暖房機の出口における二相液の一部を低圧ガス管にバイパスし、過冷却をとり液単相にして冷房室内機へ送っている。しかし、バイパス回路に抵抗があるので、暖房機出口と低圧ガス管の差圧が小さいとバイパス量が少なくなり過冷却が不足し、この液冷媒が多く流れる室内機は冷房能力が不足する。  
また、差圧が大きいとバイパス量が必要以上に多くなり、暖房室内機から冷房室内機に送られる液冷媒循環量が減り、液冷媒量が不足した室内機の冷房能力が低下する。
【０００８】
本発明の目的は、冷房運転室内機と暖房運転室内機が同時に運転される場合において冷房室内機に必要とされる冷房能力を確保することにある。
【０００９】
また、他の目的は、冷暖切換ユニット内の部品点数を低減し、コンパクト化を図ることにある。さらに、他の目的は、冷暖切換ユニットと室内機の接続配管を少なくして施工性を向上することにある。なお、本発明は上記目的の少なくとも一つを達成することにある。
【課題を解決するための手段】
【００１０】
上記目的を達成するため、本発明は、室内熱交換器と室内膨張弁を有する複数台の室内機と、圧縮機と室外熱交換器と室外膨張弁とを有する室外機と、該室外機から引出された液接続配管、低圧ガス接続配管、高圧ガス接続配管と、室外機と室内機の接続配管経路の途中に配置され、前記室内機のガス接続配管への接続を前記低圧ガス接続配管あるいは前記高圧ガス接続配管のいずれかに切換える冷暖切換ユニットと、を備えたマルチ型空気調和機において、前記低圧ガス接続配管及び前記高圧ガス接続配管は前記冷暖切換ユニットへ接続され、前記液接続配管は前記室内機に接続され、前記複数台の室内機のうち少なくとも１台が前記冷暖切換ユニットにより前記高圧ガス接続配管へ接続されて暖房運転され、他の複数台の前記室内機が前記冷暖切換ユニットにより前記低圧ガス接続配管へ接続されて冷房運転される場合、冷房運転される前記室内機は前記室内膨張弁の開度が増減されて能力が補償されるものである。
【００１１】
また、上記のものにおいて、冷房運転される前記室内機のうち暖房運転される前記室内機に隣接されて配置される前記室内膨張弁の開度は他の前記室内機のものより増加されて運転されることが望ましい。  
さらに、上記のものにおいて、冷房運転される前記室内機の能力が前記圧縮機の運転周波数によって制御されることが望ましい。
【００１２】
さらに、上記のものにおいて、冷房運転される前記室内機の吸込空気温度と吹出空気温度との差に関連して前記室内膨張弁の開度を制御することが望ましい。  
さらに、上記のものにおいて、前記冷暖切換ユニットは前記低圧ガス接続配管への接続を開閉する低圧ガス管用電磁弁と、前記高圧ガス接続配管への接続を開閉する高圧ガス管用電磁弁と、を有することが望ましい。
【発明の効果】
【００１３】
本発明によれば、暖房運転室内機より流出する液冷媒を冷房運転室内機に送ると共に、暖房運転室内機の運転状態や吐出圧力等により冷却不足となる冷房室内機の室内膨張弁開度を大きくして冷媒循環量を増やすので、必要冷房能力を確保できる。
【００１４】
また、室外機からの液接続配管を室内機へ直接接続するので、冷暖切換ユニットの部品点数を減らして、コスト低減と冷暖切換ユニットの小型化が可能となる。さらに、室外機、冷暖切換ユニット、室内機の配管接続数が低減されて、施工性が向上される。
【発明を実施するための最良の形態】
【００１５】
冷房運転室内機と暖房運転室内機が同時に運転されるマルチ型冷暖同時運転空気調和機には、室内機側の３本と室外機側の２本の配管を接続するように冷暖切換ユニットが設置され、冷暖切換ユニットは、室内ガス管につなぐ配管を高圧ガス管か低圧ガス管のいずれかに切換えることにより、室内機の運転を暖房か冷房に切換えている。そこで、複数室内機のうち１台が暖房運転、他の複数台が冷房運転を行っている場合、暖房運転室内機より流出する液冷媒は、暖房運転室内機の運転状態や吐出圧力等により冷却不足となり、フラッシュした状態で冷房運転室内機に送られ、複数台の冷房運転室内機で同―冷媒循環量となるように液冷媒を分配すると、フラッシュした液冷媒が多く流れる室内機では冷房能力が不足する。
【００１６】
図１は冷凍サイクルを示し、例えば室内機３台の容量が全て同じで、室内機４０ａが暖房運転、４０ｂ、４０ｃが冷房運転をしている。まず、冷凍サイクル内の冷媒の流れを説明する。  
圧縮機１１ａ、１１ｂ、１１ｃで圧縮された高圧ガス冷媒は、暖房負荷に比べ冷房負荷の方が多いため、一部が四方弁１２ａを通って室外熱交換器１３ａへと送られ、残りは四方弁１２ｂを通って高圧ガス阻止弁２５、高圧ガス接続配管２６に送られる。
【００１７】
室外熱交換器１３ａへと送られた高圧ガス冷媒の流れについて説明する。高圧ガス冷媒は室外空気と熱交換し凝縮して、高圧液冷媒となり、室外膨張弁１４ａ、レシーバ１５を通りプレート熱交換器１６に入る。室外膨張弁１４ｂは閉止されており、室外熱交換器１３ｂには冷媒は流れない。  
プレート熱交換器１６では高圧液冷媒の一部をバイパスし熱交換することにより、残りの液冷媒が過冷却される。この過冷却された液冷媒は液阻止弁２１、液接続配管２２を通って、室外熱交に近い冷房運転室内機４０ｃにまず送られ、残った分がその次に近い冷房運転室内機４０ｂに送られる。室内機４０ｃに入った過冷却液は室内膨張弁４１ｃで膨張し、室内熱交換器４２ｃで室内空気と熱交換し低圧ガスとなり、ガス接続配管２７ｃを通って冷暖切換ユニット３０ｃに入る。このとき高圧ガス管用電磁弁３１ｃは閉、低圧ガス管用電磁弁３２ｃは開となるため低圧ガスは低圧ガス管用電磁弁３２ｃを通り低圧ガス接続配管２４、低圧ガス阻止弁２３、アキュムレータ１８を経て、圧縮機１１a、１１ｂ、１１ｃに戻り再循環する。
【００１８】
高圧ガス接続配管２６に送られた高圧ガス冷媒の流れについて説明する。暖房運転を行う室内機は４０ａであり、これに高圧ガスを送るために、冷暖切換ユニット３０ａの高圧ガス管用電磁弁３１ａは開、低圧ガス管用電磁弁３２ａは閉となる。そして冷暖切換ユニット３０ａを通過した高圧ガス冷媒はガス接続配管２７ａを通り室内機４０ａに入り、室内熱交換器４２ａで室内空気と熱交換した後、高圧液あるいは高圧二相液（フラッシュ状態）となって液接続配管２２に入る。つぎに、液阻止弁２１、液接続配管２２を通って室外機より送られてきた過冷却液が残っていればこれと合流し、冷房室内機４０ｂに入る。  
室内機４０ｂに入った過冷却液は室内膨張弁４１ｂで絞られ、室内熱交換器４２ｂで室内空気と熱交換し低圧ガスとなり、ガス接続配管２７ｂを通って冷暖切換ユニット３０ｂに入る。このとき高圧ガス管用電磁弁３１ｂは閉、低圧ガス管用電磁弁３２ｂは開となるため低圧ガスは低圧ガス管用電磁弁３２ｂを通り低圧ガス接続配管２４、低圧ガス阻止弁２３、アキュムレータ１８を経て、圧縮機１１a、１１ｂ、１１ｃに戻り再循環する。
【００１９】
冷房運転室内機４０ｂの入口がフラッシュしている場合に、室内機４０ｂと４０ｃに冷媒を均等に分配すると室内機４０ｂの方が冷房能力が少なくなる。このため、冷房運転室内機の能力バランスをみて、室内機４０ｂの能力が不足し室内機４０ｃの能力が過剰にある場合は、室内膨張弁４１ｂの開度を増やし冷媒循環量を多くし、室内膨張弁４１ｃの開度を減らし冷媒循環量を減らすように制御する。  
逆に室内機４０ｂの能力が過剰で室内機４０ｃの能力が不足する場合は、室内膨張弁４１ｂの開度を減らし室内膨張弁４１ｃの開度を増やすようにバランス制御する。また、全ての冷房室内機能力が過剰の場合は圧縮機の運転周波数（圧縮機周波数）を減らして冷媒循環量を減らし、全ての冷房室内機能力が不足の場合は圧縮機周波数を増やして冷媒循環量を増やす。
【００２０】
冷凍サイクル内の冷媒状態に対応するモリエル線図を説明する。図２のモリエル線図は横軸に比エンタルピ、縦軸に圧力をとったものであり、冷凍サイクル各部での冷媒状態を表すと同時に、ある２点の比エンタルピ差、（例えば室内熱交換器入口と出口のエンタルピ差ΔＨ）に冷媒循環量（室内機の冷媒循環量Ｇｒ）を乗じることにより、熱交換量（室内機能力Ｑ＝ΔＨ×Ｇｒ）を求めることができる。  
室外機近傍の冷房運転室内機の場合、室内機に入る液冷媒は、室外機プレート熱交換器でΔＨｓｃだけ過冷却される。このため、室内熱交換器出入口の比エンタルピ差ΔＨｃ１は大きい。一方、暖房機近傍冷房運転室内機の場合、暖房室内機による放熱ΔＨｈ１が少ないと、室内熱交換器入口は二相域になり、フラッシュし、室内熱交換器出口との比エンタルピ差ΔＨｃ２はΔＨｃ１に比べ小さくなる。
【００２１】
それぞれの室内機の冷媒循環量が同じ、つまりＧｒ１＝Ｇｒ２だとすると、能力比Ｑ１：Ｑ２は室内熱交換器入口と出口の比エンタルピ差ΔＨｃ１：ΔＨｃ２に依存するためＱ２はＱ１より小さくなり、アンバランスが生じる。このため、従来は冷暖切換ユニット内の液バイパスにより、室内熱交換器入口を過冷却させ、ΔＨｃ２を大きくしていた。しかし、本実施例ではＧｒ１に比べＧｒ２を大きくすることによって能力バランス（Ｑ１≒Ｑ２）することとした。  
そのため、暖房機近傍の冷房運転室内機の室内膨張弁開度を大きくし、室外機近傍冷房運転室内機の室内膨張弁開度を小さくするよう制御している。つまり、冷房室内機それぞれの能力をみて、能力不足の室内機の膨張弁開度は大きくし、能力が過剰な室内機の膨張弁開度は小さくしていく。また、全ての冷房室内機能力が過剰の場合は圧縮機周波数を減らして冷媒循環量を減らし、全ての冷房室内機能力が不足の場合は圧縮機周波数を増やして冷媒循環量を増やせば良い。
【００２２】
次に、冷房室内機の能力バランスの為の膨張弁制御例を説明する。図３は室内膨張弁制御の例を示し、冷房室内機の能力を、（冷房機吸込空気温度Ｔｉ）−（冷房機吹出空気温度Ｔｏ）より求まる室内機吸込吹出空気温度差ΔＴで推定する。  
室内風量設定が異なる場合、例えは弱風の場合は、室内機吸込吹出空気温度差ΔＴでも実際の能力は小さくなるため、冷房室内機設定吸込吹出温度差ΔＴｓｅｔや室内機吸込吹出空気温度差ΔＴに補正係数をかけて処理する。
【００２３】
冷房室内機設定吸込吹出温度差ΔＴｓｅｔより室内機吸込吹出空気温度差ΔＴが小さい場合、冷房能力が不足しているとみなし、室内膨張弁を開くように制御する。これにより、室内機への冷媒循環量が増加し、冷房能力が増加するため、冷房機吹出空気温度Ｔｏが下がり、室内機吸込吹出空気温度差ΔＴが大きくなる。逆に冷房室内機設定吸込吹出温度差ΔＴｓｅｔより室内機吸込吹出空気温度差ΔＴが大きい場合、冷房能力が過剰であるとみなし、室内膨張弁を閉じるように制御する。これにより、室内機への冷媒循環量が減少し、冷房能力が減少するため、冷房機吹出空気温度Ｔｏが上り、室内機吸込吹出空気温度差ΔＴが小さくなる。この膨張弁制御は冷房運転を行う各室内機毎に、所定時間毎に、繰り返し、各室内機毎の能力アンバランスを解消する。
【００２４】
図４は冷暖切換ユニット内の電磁弁切換の例であり、室内機の運転状態に応じて合計４通りの組合せが存在する。室内機全室が冷房運転の場合低圧ガス管用電磁弁ＯＮ、高圧ガス管用電磁弁ＯＮとなる。この場合のみ高圧ガス管は低圧に引かれるため、高圧ガス管用電磁弁を開くことにより、冷暖切換ユニットから室外機へ低圧ガスが送られる。  
次に、冷暖同時運転時の室内機冷房運転の場合、低圧ガス管用電磁弁ＯＮ、高圧ガス管用電磁弁ＯＦＦとする。この場合、高圧ガス管には他の暖房運転室内機に送られる高圧ガスが入っている。ここで高圧ガス管から低圧ガス管側へのキャピラリバイパスが無いと仮定すると、この冷暖切換ユニットに接続される高圧ガス管の末端では電磁弁で閉止されて流動せず、また高圧ガス管は周囲空気温度より高いため徐々に放熱し、ガス冷媒が一部凝縮をおこし、高圧ガス管に液冷媒が溜まっていくこととなる。  そこで、凝縮した冷媒を、高圧ガス管から低圧ガス管に繋がる部位にキャピラリを介してバイパスすることにより、液冷媒が溜まるのを防止している。
【００２５】
次に、室内機暖房運転の場合、低圧ガス管用電磁弁ＯＦＦ、高圧ガス管用電磁弁ＯＮとする。高圧ガス管からのバイパス位置を低圧ガス管電磁弁の室外側、つまり低圧ガス管側にすると、高圧ガス管から低圧ガス管に冷媒がバイパスされ損失となるため、図４のように低圧ガス管の電磁弁の室内機側にする必要がある。  
室内機暖房サーモオフ或いは運転停止の場合、低圧ガス管用電磁弁ＯＦＦ、高圧ガス管用電磁弁ＯＦＦとする。運転停止時には高圧ガス管と低圧ガス管の冷媒は均圧するためキャピラリバイパスに冷媒は流れないが、暖房サーモオフ室内機の場合は、高圧ガス管は高圧、低圧ガス管は低圧になっているため、サーモオフした室内機に高圧ガスが流れ込む。ただし、キャピラリで絞られているためバイパス量は僅かである。
【００２６】
図５は冷暖切換ユニット内の電磁弁切換を示し、図４における暖房サーモオフ時の高圧ガスの室内機へのバイパスを防止するため、バイパスキャピラリに電磁弁を設けたものである。このため電磁弁の切換が１通り多くなり５通りとなる。  
室内機全室が冷房運転の場合、低圧ガス管用電磁弁ＯＮ、高圧ガス管用電磁弁ＯＮ、高圧ガスバイパス電磁弁ＯＦＦとする。この運転では電磁弁が開いていてもほとんどバイパスされず、影響はないため高圧ガスバイパス電磁弁はＯＮでもよい。  
冷暖同時運転時の室内機冷房運転の場合、低圧ガス管用電磁弁ＯＮ、高圧ガス管用電磁弁ＯＦＦ、高圧ガス管用電磁弁ＯＮとなる。バイパス量を調整するために電磁弁をＯＮ／ＯＦＦ操作してもよい。  
室内機暖房運転の場合、低圧ガス管用電磁弁ＯＦＦ、高圧ガス管用電磁弁ＯＮ、高圧ガス管用電磁弁ＯＦＦとする。高圧ガス管用電磁弁がＯＦＦとなるため、高圧ガスバイパスが低圧ガス管用電磁弁の室外機側、つまり低圧ガス管側につながっていても高圧ガス冷媒がバイパスされることはない。  
室内機暖房サーモオフの場合、低圧ガス管用電磁弁ＯＦＦ、高圧ガス管用電磁弁ＯＦＦ、高圧ガス管用電磁弁ＯＮとする。これにより高圧ガス冷媒を室内機ではなく低圧ガス管にバイパスすることができる。  
運転停止時の場合、低圧ガス管用電磁弁ＯＦＦ、高圧ガス管用電磁弁ＯＦＦ、高圧ガス管用電磁弁ＯＦＦとする。
【図面の簡単な説明】
【００２７】
【図１】本発明の一実施の形態による冷凍サイクルを示すブロック図。
【図２】一実施の形態のモリエル線図。
【図３】一実施の形態による室内膨張弁の制御フローチャート。
【図４】一実施の形態による冷暖切換ユニット内の電磁弁切換を示す図。
【図５】他の実施の形態による冷暖切換ユニット内の電磁弁切換を示す図。
【符号の説明】
【００２８】
１０…室外機、１１a、１１ｂ、１１ｃ…圧縮機、１２a、１２ｂ…四方弁、１３a、１３ｂ…室外熱交換器、１４ａ、１４ｂ…室外膨張弁、１５…レシーバ、１６…プレート熱交換器、１７プレートバイパス膨張弁、１８…アキュムレータ、２１…液阻止弁、２２…液接続配管、２３…低圧ガス阻止弁、２４…低圧ガス接続配管、２５…高圧ガス阻止弁、２６…高圧ガス接続配管、２７ａ、２７ｂ、２７ｃ…ガス接続配管、３０ａ、３０ｂ、３０ｃ…冷暖切換ユニット、３１ａ、３１ｂ、３１ｃ…高圧ガス管用電磁弁、３２ａ、３２ｂ、３２ｃ…低圧ガス管用電磁弁、３３ａ、３３ｂ、３３ｃ…液管バイパス弁、３４ａ、３４ｂ、３４ｃ…高圧ガス管バイパスキャピラリ、３５ａ、３５ｂ、３５ｃ…配管熱交換器、４０ａ、４０ｂ、４０ｃ…室内機、４１ａ、４１ｂ、４１ｃ…室内膨張弁、４２ａ、４２ｂ、４２ｃ…室内熱交換器。
【図１】
2005300006.tif 000003
【図２】
2005300006.tif 000004
【図３】
2005300006.tif 000005
【図４】
2005300006.tif 000006
【図５】
2005300006.tif 000007